(57)【要約】【課題】チャンネル切り替え前後で、エンコード形式が違う場合でも、従来よりも高速にチャンネルの切り替えを行うことができる、より具体的には、チャンネルの切り替え等の選局指示があってから番組が再生されるまでの時間を短縮することができるデジタル放送受信機を提供する。【解決手段】デジタル放送受信機は、過去に選局したチャンネルのエンコード形式(stream_type)を記憶しておき、そのチャンネルが選局された場合には、記憶されたstream_typeに基づいてデコーダをロードする。ＰＭＴを解析してstream_typeを取得する前に、stream_typeを取得することができるため、選局指示を受けてから、デコーダのロードが終了するまでの時間が短くなる。すなわち、チャンネルの切り替えの高速化を図ることができる。【選択図】図２
2009218873.tif 000002
【特許請求の範囲】
【請求項１】
選局されたチャンネルのエンコード形式が、選局に先立って記憶されている場合には、記憶されたエンコード形式に対応するデコーダをロードするデジタル放送受信機。
【請求項２】
過去に選局したチャンネルのエンコード形式を記憶しておき、選局されたチャンネルのエンコード形式が記憶されている場合には、記憶されたエンコード形式に対応するデコーダをロードするデジタル放送受信機。
【請求項３】
過去に選局したチャンネルのエンコード形式を記憶する記憶手段と、
前記記憶手段を参照して、選局されたチャンネルのエンコード形式が記憶されているか否かを判断する参照手段と、
前記記憶手段に、選局されたチャンネルのエンコード形式が記憶されている場合には、当該エンコード形式に対応するデコーダをロードするデコーダロード手段とを備えたことを特徴とするデジタル放送受信機。
【請求項４】
選局したチャンネルのストリームからエンコード形式を取得する取得手段をさらに有することを特徴とする請求項３記載のデジタル放送受信機。
【請求項５】
前記取得手段が取得したエンコード方式を、チャンネルと対応付けて前記記憶手段に登録する登録手段をさらに有することを特徴とする請求項４記載のデジタル放送受信機。
【請求項６】
前記エンコード形式は、前記ストリームに含まれるＰＭＴ（Program Map Table）に記述されているstream_typeであることを特徴とする請求項４または５記載のデジタル放送受信機。
【請求項７】
過去に選局したチャンネルのエンコード形式を記憶する記憶手段を有するデジタル放送受信機に、
前記記憶手段を参照して、選局されたチャンネルのエンコード形式が記憶されているか否かを判断させる参照ステップと、
選局されたチャンネルのエンコード形式が前記記憶手段に記憶されている場合には、当該エンコード形式に対応するデコーダをロードさせるデコーダロードステップとを実行させることを特徴とするプログラム。
【発明の詳細な説明】
【技術分野】
【０００１】
本発明は、デジタル放送受信機に関し、特に、チャンネルの切り替え等の選局指示があってから番組が再生されるまでの時間の短縮化に関する。
【背景技術】
【０００２】
従来から、デジタル放送という言葉が広く使われているが、デジタル放送には、複数の放送形態がある。
【０００３】
代表的なデジタル放送としては、地上デジタル放送があるが、この他にも、ＩＰ網を使って番組を放送（配信）するＩＰＴＶと呼ばれる放送形態がある。さらに、ＩＰＴＶの中にも、単に番組を一方的に放送するものから、放送局が視聴者の要求に応じて所望の番組を配信するものがある（一般にＶＯＤと呼ばれる）。
【０００４】
さて、このようなデジタル放送は、チャンネルの切り替えに時間を要することが知られている。その理由は、デジタル放送のチャンネルを切り替えると、切り替え後のチャンネルの番組のデータをバッファしたり、受信したパケットからＰＡＴ（Program Association Table）やＰＭＴ（Program Map Table）等の選局情報を、放送ストリームから取得し、そこから所定の映像データをデコードしたりする必要があるからである。
【０００５】
特にＩＰＴＶでは、映像データに地上デジタル放送などで広く使用されているＭＰＥＧ−２（Motion Picture Coding Experts Group 2）エンコード形式以外にもＭＰＥＧ−４  ＡＶＣ（Advanced Video Coding）／Ｈ．２６４エンコード形式も併せて使用しており、これらがチャンネル単位で混在する。
【０００６】
ここで、上記のＰＡＴやＰＭＴを説明すると、まず、ＰＡＴは、放送ストリーム内にどのような番組（プログラム）が含まれているのかを記述したパケットであり、ＰＭＴのＰＩＤ（Packet ID）が列挙されている。また、ＰＭＴは、番組（プログラム）に含まれる動画や音声、その他のデータのＰＩＤを記述したものである。なお、ＰＭＴには、その番組（プログラム）の映像データのエンコード形式(stream_type)が記述されている。デジタル放送受信機は、エンコード形式(stream_type)を認識した後、対応するデコーダでデータをデコードする。
【０００７】
このように、従来のデジタル放送受信機は、ＰＭＴからエンコード形式(stream_type)を認識した後でしか、そのエンコード形式に対応するデコーダでデータをデコードする（すなわち番組を再生する。）ことができない。
【０００８】
つまり、チャンネル切り替え指示を受けたデジタル放送受信機は、データを受信し、ＰＭＴからエンコード形式(stream_type)を認識した結果、現在使用しているデコーダと違う場合には、チャンネル切り替え後のエンコード形式(stream_type)に対応するデコーダを、現在のデコーダから切り替えてロードし、データのデコードを開始する。
【０００９】
なお、デジタル放送のチャンネルの切り替えにかかる時間を短くする技術が、例えば特許文献１ないし３に開示されるように様々提案されている。
【００１０】
【特許文献１】特開２０００−１３６９６号公報
【特許文献２】特開２００３−１６９３０３号公報
【特許文献３】特開２００２−２９０９３４号公報
【発明の開示】
【発明が解決しようとする課題】
【００１１】
ここで、前述したように、従来のデジタル放送受信機は、ＰＭＴからエンコード形式(stream_type)を認識した後でしか、そのエンコード形式に対応するデコーダでデータをデコードする（すなわち番組を再生する。）ことができない。
【００１２】
したがって、デジタル放送受信機を、特定のエンコード形式（例えば、地上デジタル放送等で使用されているＭＰＥＧ−２）のみに対応させるのであれば、常にそのエンコード形式に対応するデコーダで映像データをデコードすればよいが（デコーダを固定）、デジタル放送受信機を、複数のエンコード形式（例えば、ＭＰＥＧ−２やＭＰＥＧ−４  ＡＶＣ／Ｈ．２６４）のデコードにも対応させる場合（デコーダが可変）には、デコーダの切り替えに要する時間分、データ（番組）の再生、すなわち、チャンネルの切り替えが遅れることになる。
【００１３】
そこで、本発明は、チャンネル切り替え前後で、エンコード形式が違う場合でも、従来よりも高速にチャンネルの切り替えを行うことができる、より具体的には、チャンネルの切り替え等の選局指示があってから番組が再生されるまでの時間を短縮することができるデジタル放送受信機を提供することを目的とする。
【課題を解決するための手段】
【００１４】
本発明の第１のデジタル放送受信機は、選局されたチャンネルのエンコード形式が、選局に先立って記憶されている場合には、記憶されたエンコード形式に対応するデコーダをロードする。
【００１５】
本発明の第２のデジタル放送受信機は、過去に選局したチャンネルのエンコード形式を記憶しておき、選局されたチャンネルのエンコード形式が記憶されている場合には、記憶されたエンコード形式に対応するデコーダをロードする。
【００１６】
本発明の第３のデジタル放送受信機は、過去に選局したチャンネルのエンコード形式を記憶する記憶手段と、前記記憶手段を参照して、選局されたチャンネルのエンコード形式が記憶されているか否かを判断する参照手段と、前記記憶手段に、選局されたチャンネルのエンコード形式が記憶されている場合には、当該エンコード形式に対応するデコーダをロードするデコーダロード手段とを備えたことを特徴とする。
【００１７】
本発明のプログラムは、過去に選局したチャンネルのエンコード形式を記憶する記憶手段を有するデジタル放送受信機に、前記記憶手段を参照して、選局されたチャンネルのエンコード形式が記憶されているか否かを判断させる参照ステップと、前記記憶手段に、選局されたチャンネルのエンコード形式が記憶されている場合には、当該エンコード形式に対応するデコーダをロードさせるデコーダロードステップとを実行させることを特徴とする。
【発明の効果】
【００１８】
本発明によれば、チャンネル切り替え前後で、エンコード形式が違う場合でも、従来よりも高速にチャンネルの切り替えを行うことができる、より具体的には、チャンネルの切り替え等の選局指示があってから番組が再生されるまでの時間を短縮することができるデジタル放送受信機を提供することができる。
【発明を実施するための最良の形態】
【００１９】
以下、図面を参照して本発明を実施するための最良の形態について説明する。まず、本実施の形態の概略を簡単に説明すると、本実施の形態のデジタル放送受信機は、過去（今回の選局以前）に選局したチャンネルのエンコード形式(stream_type)を記憶しておき、そのチャンネルが選局された場合には、記憶されたエンコード形式(stream_type)に基づいてデコーダをロードする。以下、詳細に説明する。
【００２０】
図１は、本実施の形態のデジタル放送受信機の主要部のブロック図である。図１を参照すると、デジタル放送受信機は、制御部１０と記憶部２０とを有する。制御部１０は、選局受付手段１１、stream_type取得手段１２、stream_type参照手段１３、及び、デコーダロード手段１４を有する。
【００２１】
次に、本実施の形態のデジタル放送受信機の動作を説明する。図２は、本実施の形態のデジタル放送受信機の動作を説明するためのフローチャートである。
【００２２】
図２を参照すると、チャンネル切り替え指示が内部または外部から与えられると（ここではチャンネルＡに切り替えられるものとする）、選局受付手段１１は、選局指示を受信し（ステップＳ１）、stream_type参照手段１３は、チャンネルＡに対応するstream_typeが記憶部２０に格納されているか否かを判定する（ステップＳ２）。
【００２３】
ステップＳ２の処理において、チャンネルＡに対応するstream_typeが記憶部２０に格納されている場合には、デコードロード手段１４は、そのstream_typeに対応するデコーダをロードし（ステップＳ３）、チャンネルＡの番組が再生される。すなわち、前述したようにＰＭＴからstream_typeを取得してデコーダをロードする必要はない。もちろん、このようにしてロードしたデコーダと、実際のstream_type、すなわち、ＰＭＴから取得したstream_type、に対応するデコーダとが異なる場合には、実際のstream_typeに対応するデコーダをロードしなおす必要がある。この場合には、後述するステップＳ６の処理を行う。すなわち、新たに取得した実際のstream_typeを記憶部２０に登録する。
【００２４】
一方、ステップＳ２の処理において、チャンネルＡに対応するstream_typeが記憶部２０に格納されていない場合には、stream_type取得手段１２は、ＰＭＴからstream_typeを取得して（ステップＳ４）、デコーダロード手段１４は、対応するデコーダをロードする（ステップＳ５）。このステップＳ４からステップＳ５の動作は従来と同様である。
【００２５】
ここで、所定のタイミングにて、stream_type取得手段１２は、ステップＳ４にて取得したチャンネルＡのstream_typeを記憶部２０に、チャンネルＡと関連付けて保存する（ステップＳ６）。このステップＳ６の処理は、記憶部２０に登録されているチャンネルＡのstream_typeを常に上書きしてもよいし、変更があるか否かを判断し、変更がある場合にのみ、更新してもよい。
【００２６】
なお、上述の実施の形態において、ステップＳ２において、チャンネルＡに対応するstream_typeが記憶部２０に格納されていない場合、記憶部２０にチャンネルＡと同じ事業者のチャンネルのstream_typeが記憶されていれば、このstream_typeに対応するデコーダをロードしてもよい。
【００２７】
以上説明したとおり、本実施の形態によれば、ＰＭＴを解析してstream_typeを取得する前に、stream_typeを取得することができるため、従来と比較し、選局指示を受けてから、デコーダのロードが終了するまでの時間が短くなる。すなわち、チャンネルの切り替えの高速化を図ることができる。
【図面の簡単な説明】
【００２８】
【図１】本発明の実施の形態のデジタル放送受信機のブロック図である。
【図２】本実施の形態の動作を説明するためのフローチャートである。
【符号の説明】
【００２９】
１０  制御部
１１  選局受付手段
１２  stream_type取得手段
１３  stream_type参照手段
１４  デコーダロード手段
２０  記憶部
【図１】
2009218873.tif 000003
【図２】
2009218873.tif 000004